(57)【特許請求の範囲】
【請求項１】
建物の外壁内に設けられて室内側と室外側を連通するダクト内に嵌挿される本体筒部と、前記本体筒部の室外側端部に支持部材を介して室外に設けられる遮蔽部とを備えた換気用ベントキャップであって、前記本体筒部の室外側開口部から室外側に突出させて円錐状のカラーが設けられ、前記カラーは前記本体筒部と軸心が一致し、かつその前縁が前記遮蔽部と略同一径または前記遮蔽部の径より内側に位置するとともに、前記遮蔽部に向けて拡径して突出し、その突出方向の仮想延長線が遮蔽部と交わらない構成とするとともに、前記遮蔽部は、前記室内からの汚れた排気流が、面に沿ってガイドされ、前記排気流が前記遮蔽部の外周縁から離れるときに、外周方向よりも前記室外側に角度を有して流れるような前記外周縁から中心部に向かうにしたがって前記室内側に厚みが増加する突形状部を有した換気用ベントキャップ。
【請求項２】
本体筒部の室外側開口部の室外側に外径が遮蔽部の径より小さく、かつ内径が本体筒部の内径より大きい枠部を設けた請求項１記載の換気用ベントキャップ。
【発明の詳細な説明】
【技術分野】
【０００１】
本発明は、住宅等の室内空気を室外に換気するときに、建物の外壁部分に設置される換気用ベントキャップに関する。
【背景技術】
【０００２】
従来、この種の換気用ベントキャップとして室内側に風雨の吹き込みを防止する遮蔽板を設けた換気用ベントキャップが知られている（例えば、特許文献１参照）。
【０００３】
以下、その換気用ベントキャップについて図６を参照しながら説明する。
【０００４】
図に示すように、円筒状の本体筒１０１の室外側端部前方に、支持部材１０２により風雨侵入防止の遮蔽板１０３を設けてなる換気用ベントキャップにおいて、遮蔽板１０３は実質的に平板状であり、一方、本体筒１０１の前端開口の周縁には外向けフランジ１０４が形成され、この外向けフランジ１０４は前方に突出してガイド枠１０５が取り付けられ、このガイド枠１０５は円筒状の枠フランジ１０５ａと前方に拡径して突出するカラー１０５ｂとならなり、カラー１０５ｂはその前縁が、風雨侵入防止のために遮蔽板１０３よりも内側に位置している。
【特許文献１】特開平８−２４０３３１号公報（００１０段落、００１１段落、図１）
【０００５】
また、風雨侵入防止のために別の形状をした防風板を備えた換気用ベントキャップとして、特許文献２の換気用ベントキャップが知られている。その換気用ベントキャップについて図７を参照しながら説明する。
【０００６】
図に示すように、建築物の壁１１０に設けられた通気ダクト１１１に嵌入されるダクト接続用筒部材１１２と、ダクト接続用筒部材１１２に固定され壁１１０の室外側に取り付けられる換気用ベントキャップ本体１１３と、換気用ベントキャップ本体１１３に周設され換気用ベントキャップ本体１１３から突出するとともに、室外側に向かって広くなるテーパ状カバー１１４と、換気用ベントキャップ本体１１３の正面から風雨が吹き込まないような位置で換気用ベントキャップ本体１１３の室外側を覆うとともに、換気用ベントキャップ本体１１３およびテーパ状カバー１１４との間に通風用の空間を有するように配設される防風板１１５とを備え、防風板１１５の周縁は室外側に向かって屈曲するとともに、テーパ状カバー１１４の室外側の周縁の内側に位置する構成としている。
【特許文献２】特開２０００−３２０８７０号公報（第３頁第４欄、図２）
【発明の開示】
【発明が解決しようとする課題】
【０００７】
このような従来の換気用ベントキャップにおいて、特許文献１に記載された換気用ベントキャップでは、降雨時の雨の侵入においては効果があるが、換気用ベントキャップの主目的である換気をした際には、室内側の汚れた空気は本体筒１０１を通り、遮蔽板１０３に当たり、その方向を遮蔽板１０３の外周方向に向きを変えられ、室外に排気する。このとき、遮蔽板１０３に当たった空気は遮蔽板１０３によって跳ね返され、外壁面に向かう排気流となる。室内から排気される空気が汚れている場合には、その排気流が汚れているので、その汚れた排気流が外壁面に当たると外壁面が汚れてしまう。さらに、排気流の風速が高いときには、外壁面に跳ね返される排気流が多くなり、より一層、排気流によって外壁面が汚れてしまう。
【０００８】
また、特許文献２に記載された換気用ベントキャップでは、テーパ状カバー１１４の周縁が防風板１１５よりも外側に位置することによって圧力損失を小さくするための効果はあるが、室内からの排気流は、テーパ状カバー１１４の内周面を通過するため、この内周面が汚れることとなる。このような場合、壁に設置された換気用ベントキャップを正面から見たときには、テーパ状カバー１１４の汚れた内周面が見えるため、排気流によって汚れた換気用ベントキャップとなり、換気用ベントキャップの外観が悪くなるばかりか、換気用ベントキャップが設置された外壁自体の外観を悪くしてしまう。
【０００９】
一方、近年住宅の気密化によって換気扇を常時運転することが義務づけられており、特許文献１に記載された換気用ベントキャップでは、汚れた排気流が常時壁に当たり続け、外壁が汚れることとなってしまう。また、特許文献２に記載された換気用ベントキャップにおいては、外壁に設置された換気用ベントキャップの内面の汚れが見えることにより、換気用ベントキャップ、さらには外壁自体の外観を悪くしてしまう。
【００１０】
このような従来の換気用ベントキャップでは、排気流が遮蔽板に跳ね返され汚れた排気流が外壁に当たり、外壁を汚してしまうという課題があった。また、換気用ベントキャップの防風板がテーパ状カバーより小さい場合には、換気用ベントキャップの汚れ自体が見えてしまい、さらには外壁自体の外観を損なうという課題があり、換気用ベントキャップが設置された外壁全体に汚れを付着させず、かつ、見えないようにする換気用ベントキャップが要求されている。
【００１１】
本発明は、従来のこのような課題を解決するものであり、換気口の前面に遮蔽板があっても、排気流が遮蔽板によって跳ね返されないで外壁を汚すのを防止できるとともに、正面から換気用ベントキャップを見ても、汚れた部位を覆うことができ、また雨の侵入を防止でき、さらに圧力損失の小さい換気用ベントキャップを提供することを目的としている。
【課題を解決するための手段】
【００１２】
本発明の換気用ベントキャップは上記目的を達成するために、建物の外壁内に設けられて室内側と室外側を連通するダクト内に嵌挿される本体筒部と、前記本体筒部の室外側端部に支持部材を介して室外に設けられる遮蔽部とを備えた換気用ベントキャップであって、前記本体筒部の室外側開口部から室外側に突出させて円錐状のカラーが設けられ、前記カラーは前記本体筒部と軸心が一致し、かつその前縁が前記遮蔽部と略同一径または遮蔽部の径より内側に位置するとともに、前記遮蔽部に向けて拡径して突出し、その突出方向の仮想延長線が遮蔽部と交わらない構成としたものである。
【００１３】
また、他の手段は、遮蔽部は外周縁から中心部に向かうにしたがって室内側に厚みが増加する突形状部を有したものである。
【００１４】
また、他の手段は、本体筒部の室外側開口部の室外側に外径が遮蔽部の径より小さく、かつ内径が本体筒部の内径より大きい枠部を設けたものである。
【発明の効果】
【００１５】
本発明によれば、室内からの空気が汚れを含んだ排気流であっても、排気流は円錐状のカラーに案内されて流れ、遮蔽部の外周縁から離れる際には反外壁側に流れるため、排気流が外壁面に当たらず、排気流によって外壁面が汚れるのを防止できるとともに、換気用ベントキャップを正面から見たとき、カラーは遮蔽部と略同一径または内側に位置するので、排気流によってカラー内部に付着した汚れが見えることもなく、また雨が侵入しにく、さらにベントキャップの圧力損失を小さくする、という４つの効果をともに秦する換気用ベントキャップが得られる。
【００１６】
また、室内からの汚れた排気流が本体筒部を通り遮蔽部に当たる際、突形状部の面に沿ってガイドされ、排気流が遮蔽部の外周から離れるときに、外周方向よりも室外側に角度を有して流れるため、排気流が外壁面にもどらず、排気流による外壁の汚れを防止できる。
【００１７】
また、遮蔽部とカラーの前縁との間から侵入した雨は本体筒部の前面部に付着するが、付着した雨水は本体筒部の室外側開口部の室外側に設けた枠部によって本体筒部の開口部に侵入することがないため、雨水が室内に侵入するのを防止することができる。
【発明を実施するための最良の形態】
【００１８】
本発明の請求項１記載の換気用ベントキャップは、建物の外壁内に設けられて室内側と室外側を連通するダクト内に嵌挿される本体筒部と、前記本体筒部の室外側端部に支持部材を介して室外に設けられる遮蔽部とを備えた換気用ベントキャップであって、前記本体筒部の室外側開口部から室外側に突出させて円錐状のカラーが設けられ、前記カラーは前記本体筒部と軸心が一致し、かつその前縁が前記遮蔽部と略同一径または前記遮蔽部の径より内側に位置するとともに、前記遮蔽部に向けて拡径して突出し、その突出方向の仮想延長線が遮蔽部と交わらない構成とするとともに、前記遮蔽部は、前記室内からの汚れた排気流が、面に沿ってガイドされ、前記排気流が前記遮蔽部の外周縁から離れるときに、外周方向よりも前記室外側に角度を有して流れるような前記外周縁から中心部に向かうにしたがって前記室内側に厚みが増加する突形状部を有した構成としたものであり、室内から汚れた排気流が本体筒部を通り遮蔽部に当たる際、突形状部の面に沿ってガイドされ、排気流が遮蔽部の外周から離れるときに、外周方向よりも室外側に角度を有して流れるため、排気流が外壁側にもどらず、排気流による外壁の汚れ防止ができる、また換気用ベントキャップを正面から見たとき、排気流によってカラー内部に付着した汚れが見えず、また雨が浸入しにくく、さらに換気用ベントキャップの圧力損失を小さくできる、という４つの作用効果をともに奏する換気用ベントキャップが得られる。
【００２０】
また、請求項２記載の換気用ベントキャップは、本体筒部の室外側開口部の室外側に外径が遮蔽部の径より小さく、かつ内径が本体筒部の内径より大きい枠部を設けたものであり、遮蔽部とカラーの前縁との間から侵入した雨水は本体筒部の前面部に付着するが、付着した雨水は枠部の外周に沿って流れ、外周の左右端から滴下し、本体筒部の開口部に侵入することがないため、カラー内部に侵入してしまった雨でも室内に侵入するのを防止することができる。
【００２１】
以下、本発明の実施の形態について図面を参照しながら説明する。
【００２２】
（実施の形態１）
図１に示すように、建物の外壁１内に設けられて室内２側と室外３側を連通するダクト４内に嵌挿される本体筒部５と、本体筒部５の室外側端部前方に支持部材６を介して室外３に設けられる遮蔽部７とを備えた構成であって、本体筒部５の室外側開口部９の周縁１０には外壁面１ａに当接するフランジ１１が形成され、また室外側開口部９から室外３側に突出させて円錐状のカラー１２が設けられている。カラー１２は本体筒部５と軸心を一致させて設けられ、かつ、その前縁１３が遮蔽部７と略同一径であるとともに、遮蔽部７に向けて拡径して突出し、その突出方向の仮想延長線Ｌが遮蔽部７と交わらないよう形成されている。
【００２３】
上記構成において、換気をすると、室内２の汚れた空気である排気流は本体筒部５を通り、本体筒部５の室外側開口部９から出た排気流は、遮蔽部７の方へ直進する排気流１４と、やや広がりながら円錐状のカラー１２の内周面に沿って流れる排気流１５とになり、このとき、カラー１２が室外側開口部９に形成されたフランジ１１の外周部から室外３側に拡径して広がっているので、カラー１２の根元１６近傍に渦が発生することがなく、排気流１５がスムーズに流れて圧力損失を小さくできる。
【００２４】
さらに、遮蔽部７の方へ直進する排気流１４は遮蔽部７に当たると、その方向を直進から遮蔽部７の外周縁１７の方向に向きを変え、外周縁１７付近では、カラー１２の突出方向の仮想延長線Ｌが遮蔽部７と交わらないように形成されているので、カラー１２の内周面に沿って流れてくる空気流１５と合わさり、合わさった排気流は反外壁１側に向かって室外３に排気される。このとき、排気流が汚れている場合でも、外壁１側に向かって流れないので、汚れた排気流が外壁面１ａに当たることがなくなり、外壁面１ａを汚すのを防ぐことができる。
【００２５】
また、汚れた排気流が換気用ベントキャップ内に流れるとカラー１２の内周面に汚れが付着するが、カラー１２の外周箇所である前縁１３は、遮蔽部７の外周縁１７と略同一径となっているので、換気用ベントキャップを正面から見たとき、カラー１２の内周面についた汚れは見えることがない。
【００２６】
また、雨が降ったとき、雨はカラー１２の外周にかかるが、カラー１２が遮蔽部７側に径拡大、いいかえればカラー１２が本体筒部５に向けて径縮小となっているので、カラー１２の上部１８はフランジ１１に向けて雨水が流れる傾斜を有しており、雨水はカラー１２からフランジ１１の方へ流れ、さらにフランジ１１の外周に沿って下方に流れ、そして図２に示すフランジ１１の左右端１９に到達すると下方へ滴下する。このとき、室外３から台風のような強い風２０が外壁面１ａに吹き付けても、カラー１２から滴下した雨水は、カラー１２の前縁１３よりも外壁１側で落ちるため、外壁面１ａに吹き付ける風２０に反して、遮蔽部７側に流れ、さらに、カラー１２の前縁１３から侵入することはない。
【００２７】
このように、降雨時、台風のような強い風２０が吹いても、雨水が本体筒部５の内部に入ることがなく、雨水が室内に侵入するのを防止することができる。また、遮蔽部７とカラー１２とを略同一径とすることにより、圧力損失の低減、排気流による外壁１への汚れ付着防止、カラー１２内部の汚れ目隠しによる換気用ベントキャップの外良好な観性維持および雨水侵入防止の４つの効果をともに秦することができる。
【００２８】
なお、本実施の形態１では、カラー１２の前縁１３が、遮蔽部７と略同一径としたが、前縁１３が遮蔽部７の外径より内側に位置していても、前縁１３の突出方向の仮想延長線Ｌが遮蔽部７と交わらない構成となり、その作用効果に差異はない。
【００２９】
また、本体筒部５のフランジ１１を本体筒部５と一体の形状として図示したが、フランジ１１は、たとえば図３示すように、カラー１２の一部として形成しても、本来の作用効果に差異はない。
【００３０】
（実施の形態２）
実施の形態２は、図４に示すように、上記実施の形態１に対し、遮蔽部７Ａが外周縁１７Ａから中心部２１に向かうにしたがって室内２側に厚みが増加する突形状部２２を有している点に特徴がある。
【００３１】
上記構成において、室内２からの汚れた排気流が本体筒部５を通り、遮蔽部７Ａに当たる際、突形状部２２の面に沿ってガイドされ、排気流は遮蔽部７Ａの外周縁１７Ａから離れるときに、外周方向よりも室外３側に角度を有して流れるため、排気流が外壁１側にもどらず、排気流による外壁面１ａの汚れ防止ができる。
【００３２】
また、遮蔽部７Ａ側の突形状部２２のテーパ面２３とカラー１２のテーパ面２４の両方によって排気流が整流され、その吹き出し角度が反外壁１方向へ吹き出されるように決まり、より一層外壁の汚れ防止効果が高まることとなる。
【００３３】
（実施の形態３）
実施の形態３は、図５に示すように、上記実施の形態１に対し、本体筒部５の室外側開口部９の室外側に、外径が遮蔽部７より小さく、かつ内径が本体筒部５の内径より大きい枠部２５を設けた点に特徴がある。
【００３４】
上記構成において、遮蔽部７とカラー１２との間から侵入した雨は本体筒部５の前面部２６に付着するが、付着した雨水は枠部２５の外周に沿って流れ、外周の左右端から滴下し、本体筒部５の室外側開口部９に侵入することがないため、カラー１２の内部に侵入してしまった雨でも室内に侵入させるのを防止することができることとなる。
【産業上の利用可能性】
【００３５】
本発明にかかるベントキャップは、圧力損失の低減、排気流による壁への汚れ付着防止、カラー内部の汚れ目隠しによるベントキャップの外観性維持、および雨水侵入防止の４つの効果をともに秦し、建物の外壁に装着される換気用ベントキャップとして有用である。
【図面の簡単な説明】
【００３６】
【図１】本発明の実施の形態１の換気用ベントキャップの設置状態を示す断面図
【図２】同換気用ベントキャップの斜視図
【図３】同換気用ベントキャップの別の構成示す断面図
【図４】本発明の実施の形態２の換気用ベントキャップの設置状態を示す断面図
【図５】本発明の実施の形態３の換気用ベントキャップの設置状態を示す断面図
【図６】従来の換気用ベントキャップの設置状態を示す断面図
【図７】従来の他の換気用ベントキャップの設置状態を示す断面図
【符号の説明】
【００３７】
１      外壁
２      室内
３      室外
４      ダクト
５      本体筒部
６      支持部材
７      遮蔽部
７Ａ    遮蔽部
９      室外側開口部
１２    カラー
１３    前縁
１７Ａ  外周縁
２１    中心部
２２    突形状部
２５    枠部
【図１】
0004930352.tif 000002
【図２】
0004930352.tif 000003
【図３】
0004930352.tif 000004
【図４】
0004930352.tif 000005
【図５】
0004930352.tif 000006
【図６】
0004930352.tif 000007
【図７】
0004930352.tif 000008